(57)【要約】  本発明は光を直線偏光する少なくとも１つの液晶材料を有するセキュリティー素子を備えた有価物に関するものである。
2007527051.tif 000002
【特許請求の範囲】
【請求項１】
セキュリティー素子を備えた有価物であって、該素子が光を直線偏光する少なくとも１つの液晶材料を有して成ることを特徴とする有価物。
【請求項２】
前記液晶材料がリオトロピック液晶から成ることを特徴とする請求項１記載の有価物。
【請求項３】
前記液晶材料の層厚が１００〜１０００ナノメートルであることを特徴とする請求項１または２記載の有価物。
【請求項４】
前記液晶材料が一面に配されているか、または特定の領域に、特に英数字および/またはパターンを成して配され、該材料によって特に局部的に異なる偏光が生じることを特徴とする請求項１〜３いずれか１項記載の有価物。
【請求項５】
前記液晶材料がパターンおよび/または文字を有する背景に配されていることを特徴とする請求項１〜４いずれか１項記載の有価物。
【請求項６】
前記背景が印刷されているか、基体にインク描きされているか、またはレーザーによって形成されていることを特徴とする請求項５記載の有価物。
【請求項７】
前記液晶材料、前記背景、および/または別の層が、機械検査および/または目視検査可能な特性を有していることを特徴とする請求項１〜６いずれか１項記載の有価物。
【請求項８】
前記セキュリティー素子がラベルであることを特徴とする請求項１〜７いずれか１項記載の有価物。
【請求項９】
セキュリティー・ペーパー、セキュリティー・ドキュメント、または製品包装であることを特徴とする請求項１〜８いずれか１項記載の有価物。
【請求項１０】
前記セキュリティー素子が視覚効果をもたらす少なくとも１つの層および/または少なくとも該セキュリティー素子の一部を覆う保護層を更に有して成ることを特徴とする請求項１〜９いずれか１項記載の有価物。
【請求項１１】
有価物を保護するためのセキュリティー素子であって、光を直線偏光する少なくとも１つの液晶材料を有して成ることを特徴とする素子。
【請求項１２】
前記液晶材料がリオトロピック液晶から成ることを特徴とする請求項１１記載の素子。
【請求項１３】
前記液晶材料の層厚が１００〜１０００ナノメートルであることを特徴とする請求項１１または１２記載の素子。
【請求項１４】
前記液晶材料が一面に配されているか、または特定の領域に、特に英数字および/またはパターンを成して配されていることを特徴とする請求項１１〜１３いずれか１項記載の素子。
【請求項１５】
前記液晶材料の担体が所定の、特に１/４波長または１/２波長の位相シフトを有する複屈折箔であることを特徴とする請求項１１〜１４いずれか１項記載の素子。
【請求項１６】
視覚効果をもたらす少なくとも１つの層および/または少なくとも一部を覆う保護層を更に有して成ることを特徴とする請求項１１〜１５いずれか１項記載の素子。
【請求項１７】
セキュリティー・スレッド、ルックスルー・レジスター、または硬貨地板であることを特徴とする請求項１１〜１６いずれか１項記載の素子。
【請求項１８】
セキュリティー素子を作製するための転写材料であって、リオトロピック液晶から成る少なくとも１つの液晶材料を上部に配した担体材料を有して成ることを特徴とする材料。
【請求項１９】
前記担体材料が押箔として形成されていることを特徴とする請求項１８記載の材料。
【請求項２０】
有価物またはセキュリティー素子を作製する方法であって、
基体を供給するステップ、
前記基体の上部に少なくとも１つのリオトロピック液晶材料を塗布するステップ
の各ステップを有して成ることを特徴とする方法。
【請求項２１】
前記少なくとも１つのリオトロピック液晶材料が溶液中に存在し、有向剪断力を加えながら該溶液を前記基体に塗布し、該溶液を構成する溶媒を除去することを特徴とする請求項２０記載の方法。
【請求項２２】
有価物を検査する方法であって、
光が直線偏光されているか否かおよび/または
前記光が色彩効果を有しているか否かおよび/または
前記光が銀行紙幣の基体を透過したとき、前記偏光光の偏光が解消されるか否か、および/または前記色彩効果が消えるか否か
をチェックすることを特徴とする方法。
【請求項２３】
前記有価物で乱反射した光および/または該有価物を透過した光をチェックすることを特徴とする請求項２２記載の方法。
【発明の詳細な説明】
【技術分野】
【０００１】
本発明は液晶材料を有して成り、有価物の保護に用いられるセキュリティー素子に関するものである。また、本発明は有価物、転写材料、およびこのようなセキュリティー素子および有価物の製造方法、並びにこのようなセキュリティー素子または有価物のチェック方法に関するものでもある。
【０００２】
本発明において、有価物とは、例えば、商標品または有価証書のような任意の保護対象物であってよい。本発明において、有価物とは、特に銀行紙幣のようなセキュリティー・ドキュメントを意味するが、株券、証書、スタンプ、小切手、小切手保証カード、クレジットカード、身分証明書、パスポート、入場券、切符、航空券、ラベル、シール、包装、セキュリティー・ペーパー、その他の製品保護素子等を含む。従って、以下単に“有価物”または“セキュリティー素子”と言った場合、常に前記種類のドキュメントを含んでいるものとする。
【背景技術】
【０００３】
サーモクロミック特性を有する液晶材料を有して成るセキュリティー素子が特許文献１によって知られている。サーモクロミック液晶材料を加熱すると色彩が変化するかまたは透明になるためセキュリティー素子が視認できる。
【０００４】
このようなサーモクロミック液晶材料の１つの問題は、サーモクロミック特性を得るためには一定の温度差が必要なことである。しかし、充分な温度差が常に得られるとは限らず、そのために期待通りの色彩変化が得られない場合がある。
【特許文献１】独国特許出願公開第１９９ ４１ ２９５号明細書
【発明の開示】
【発明が解決しようとする課題】
【０００５】
従って、本発明の課題は温度に関係なく容易に目視および機械検査が可能な有価物、転写素子、およびセキュリティー素子を作製することである。また、有価物、転写素子、およびセキュリティー素子は製造が特に簡単であると同時に高い偽造防止効果を保証するものでなければならない。
【０００６】
本発明の別の課題はこのようなセキュリティー素子および有価物の製造方法、並びにこのようなセキュリティー素子または有価物のチェック方法を提供することである。
【課題を解決するための手段】
【０００７】
これ等の課題は独立請求項の特徴によって解決される。開発成果は従属請求項の主題である。
【０００８】
本発明によれば、セキュリティー素子が光を直線偏光する少なくとも１つの液晶材料を有している。
【０００９】
セキュリティー素子で乱反射した光および/またはセキュリティー素子を透過した光が偏光されるか否かをチェックすることにより、周囲温度または生じた温度差とは無関係にセキュリティー素子の真正が確実にチェックできる。特に、偏光液晶材料を用いることにより偽造防止効果が改善される。この理由は、このような材料は製造が複雑であり、容易に購入できず、また通常の場合と異なり、厚く硬い偏光箔または保護対象物に順応すると共に、セキュリティー印刷を施す既存の方法と同様の方法によって処理できるからである。
【００１０】
液晶材料としてリオトロピック液晶を用いることが好ましい。この場合、厚さ数マイクロメートルの層を塗布し、溶媒が蒸発した後に厚さ１００〜１０００ナノメートルの層が残ることが好ましい。従来の偏光箔は少なくとも０．１ミリメートルの厚さを有している。
【００１１】
本発明の液晶材料は本発明の範囲において臨機応変に使用できる。液晶材料を全体に配することができるが、特定の領域に、特に文字またはパターンを成すように配することが好ましい。
【００１２】
セキュリティー素子は有価物に直接形成することも、別の基体に形成することもできる。セキュリティー素子が配される有価物または別の基体の材料に制限はない。しかし、箔状の紙またはプラスチックが好ましい。別の基体の場合には、セキュリティー素子を好ましくはプラスチック製の基体に、例えば、自立ラベルとして形成できる。特に、セキュリティー素子はセキュリティー・スレッド、取り分けウィンドウ・スレッドの形態を成していることが好ましい。特にウィンドウ・スレッドの場合には、偏光領域と非偏光領域との差異が顕著になり目視検査が容易になる。
【００１３】
一連の層を有価物上に直接形成することが困難な場合がある。そのような場合には、セキュリティー素子の層構造の少なくとも一部を転写材料に形成できる。
【００１４】
セキュリティー素子の一連の層を転写材料に形成する場合、それぞれの図に示す層の順序を逆にして転写材料の担体テープ上に形成する必要がある。セキュリティー素子の層構造体は担体テープ上に際限なく形成できる。セキュリティー素子を保護すべき有価物に固定する場合、有価物または転写材料の最上部に配される接着層を用いることができる。この場合、ホットメルト接着剤を用いることが好ましい。転写領域にのみ接着層を配するか、または転写領域接着剤、例えば、ホットメルト接着剤のみを活性化させることによりセキュリティー素子の輪郭を決定できる。転写後、転写材料の担体テープを剥離することにより、図示のセキュリティー素子の層構造体のみが保護すべき有価物上に残る。
【００１５】
セキュリティー素子が適用される有価物は、例えば、セキュリティー・ペーパー、セキュリティー・ドキュメント、あるいは製品包装であってよい。本発明のセキュリティー素子をセキュリティー上の観点から保護を必要とする別の有価物にも適用できることは勿論である。
【００１６】
セキュリティー素子の全体を保護対象物の表面に配することが好ましい。セキュリティー素子全体が保護対象物の表面に配される場合には、セキュリティー素子の表面を充分大きく設計でき、それによって液晶材料の視覚効果が顕著になる。
【発明を実施するための最良の形態】
【００１７】
図を参照して本発明の更なる効果および実施の形態について詳細に説明する。図を分かり易くするため、図示の寸法（特に層厚）は必ずしも実際の寸法に対応していない。
【００１８】
説明を分かり易くするため、銀行紙幣を例に挙げて本発明を詳細に説明するが、本発明を前記有価物に問題なく適用できることは言うまでもない。
【００１９】
図１は幅全体に亘って延びるストリップ状のセキュリティー素子２を備えた紙またはプラスチック製の銀行紙幣１を示す図である。透かし、スチール・グラビア印刷、セキュリティー・スレッド、発光および/または磁気印刷等、別のセキュリティー機能を更に備え得ることは言うまでもない。
【００２０】
セキュリティー素子２は液晶層を有している。セキュリティー素子２の液晶層は光を直線偏光する少なくとも１つの液晶材料を有している。セキュリティー素子２の全体が銀行紙幣１の表面に配されているため、パターンおよび/または文字を成す液晶層の偏光効果が顕著に現れる。パターンおよび/または文字により方向が異なる直線偏光をもたらすことができる。即ちセキュリティー素子２の偏光方向が局部的に異なる。セキュリティー素子２で乱反射した光および/またはセキュリティー素子２を透過した光が偏光されるか否かおよび偏光方向をチェックすることにより、セキュリティー素子２の真正を確実にチェックできる。
【００２１】
液晶材料としてリオトロピック液晶を用いることが好ましい。リオトロピック液晶は有機材料から成る液晶であり、例えば、水溶液中および溶媒除去後のいずれにおいても液晶特性を示す。剪断力を加えながらリオトロピック液晶を含む溶液をセキュリティー素子の少なくとも１つの表面に塗布することが有益である。厚さ数マイクロメートルの層を塗布し、溶媒が蒸発した後に厚さ１００〜１０００ナノメートルの層が残ることが好ましい。溶媒が蒸発した後に残った層が、例えば、ポリマーのような超分子錯体を成す多数の有機材料を含んでいる。分子の表面および光透過時における分子の双極子モーメントが残留層の巨視的方向軸に直交する方向に向いている。従って、残留層の偏光方向はリオトロピック液晶を含む溶液の塗布時に加えられた剪断力の方向に一致する。
【００２２】
このようなリオトロピック液晶は部分的に偏光しない偏光スペクトルを有し、液晶の偏光方向に関連して交差検光子を用いても一部のスペクトルが透過する。このため、セキュリティー素子２に照射され、リオトロピック液晶層を透過した光は直線偏光されると共に、例えば、赤、紫または青のような特定の色を呈する。別の色も可能であり、例えば、可視領域以外の色も可能である。特に、赤外光または紫外光の偏光も可能である。従って、特定の波長領域（色）の偏光または非偏光を選択的に行うことができる。交差偏光子を用いて偏光および残留色を分析することにより、セキュリティー素子を確実に判定できる。
【００２３】
リオトロピック液晶の生成および適用に関わる詳細な仕様は米国特許第５７３９２６９号明細書、米国特許第６０４９４２８号明細書、および国際公開第０２/０８７７８２号パンフレットから推測できる。
【００２４】
前記セキュリティー素子２を透過した光の色彩効果は観察検光子として直線検光子を用い、偏光方向をセキュリティー素子２の液晶層の偏光方向に対し９０度回転させて観察することにより特に良く見える。セキュリティー素子に照射される光が偏光方向をセキュリティー素子２の液晶層の偏光方向に対し９０度回転させた直線偏光子によって既に偏光されている場合も同様の効果が得られる。セキュリティー素子２に用いられるリオトロピック液晶を用いて前記検証に使用する偏光子も作製できる。
【００２５】
前記色彩効果はセキュリティー素子から検光子に届いた特定のスペクトル領域が直線偏光された光の吸収に基づいている。従って、セキュリティー素子を銀行紙幣のような光を散乱する基体に埋め込むか、または基体の裏面に配すると光の偏光が解消され色彩効果も現れない。所謂ウィンドウ・セキュリティー・スレッドのように、セキュリティー素子の一部を基体に埋め込んだ場合、偏光子の偏光方向を並行にするとセキュリティー素子の埋め込み領域と露出領域における明度および色彩の差異が小さく、偏光方向を９０度回転させると差異が顕著になる。
【００２６】
セキュリティー素子２は前記液晶層の他に別の層を有することができ、単独または他の層との組合せにより別の顕著な視覚効果をもたらすことができる。
【００２７】
図２および３を参照して、幾つかの好ましい実施の形態について詳細に説明する。図２および３は銀行紙幣１のＡ−Ａ線断面図であり、セキュリティー素子２の層構造を示している。
【００２８】
図２において、白色または特有の明色を有する銀行紙幣１の紙またはプラスチックから成る基体３上に文字またはパターンを成すリオトロピック液晶層４が配されている。特に紙から成る基体３の場合、リオトロピック液晶層４の接着力を強化するため、所謂下地層を設けることができる。下地層は、例えば、表面が滑らかな無色のプラスチック層またはインク層であってよい。
【００２９】
使用時に大きな機械的または化学的負荷がかかる一部の実施の形態において、液晶材料が保護層５によって覆われる。保護層５はセキュリティー素子２に積層された箔または保護ラッカー層であってよい。保護ラッカー層は一面に施すことも部分領域に施すこともできる。この場合、例えば、ＵＶラッカー、合成ラッカー、油性ラッカー、または一液型もしくは二液型分散ラッカーを用いることができる。保護ラッカー層は、例えば、フレキソ印刷またはオフセット印刷のような印刷によって施されることが好ましい。
【００３０】
同様に、セキュリティー素子２は銀行紙幣に貼付可能に構成された独立素子であってよい。独立したセキュリティー素子２は図２に関連して説明した構造に対応する構造を有することができる。この場合、例えば、透明プラスチック箔から成るセキュリティー素子２の基体３が銀行紙幣１に接着される。この場合、基体３を成すプラスチックがホットメルト接着剤であってよい。
【００３１】
図３は独立したセキュリティー素子２の別の実施の形態を示す図である。例えば、透明プラスチック箔、およびリオトロピック液晶層４が基体３に形成される。次いでセキュリティー素子２を銀行紙幣１に固定するための接着層６が液晶層４に形成される。接着層６に用いる接着剤はホットメルト接着剤であってよい。セキュリティー素子２を銀行紙幣１に固定する場合、セキュリティー素子２の代わりに銀行紙幣１に接着剤を塗布することもできる。
【００３２】
箔３が右配向および所定の位相シフト（例えば、１/４波長または１/２波長板）を有する複屈折材料（例えば、発泡ポリマー箔）から成る場合、図２または３の複合体は層配列順序に応じ透過光に対し直線または円（一般に楕円）偏光子として作用する。（例えば、ルックスルー・レジスターとして使用した場合）２つの透過または観察方向において異なる偏光および検査が可能である。
【００３３】
図４〜６は更に別の好ましい実施の形態を示す図であり、図４はセキュリティー素子２の平面図、図５および６はＡ−Ａ線断面図であって、セキュリティー素子２の層構成を示している。
【００３４】
図４は情報８を有するセキュリティー素子２を示す図である。この情報は、例えば、英数字のようなプレーン・テキスト形式で表示できる。
【００３５】
図５から明らかなように、セキュリティー素子２は、例えば、透明プラスチック箔から成る基体３、例えば、スパッタリング、蒸着、または接着等によって情報８の領域を除く基体３に配された金属層７、および金属層７の上部に配されたリオトロピック液晶層４を有している。透明プラスチック材料のような充填材を金属層７に形成された情報８のギャップに充填できる。
【００３６】
図６は図５のセキュリティー素子２の別の実施の形態を示す図であり、まずリオトロピック液晶層４が基体３に形成され、その上部に金属層７が配されている。
【００３７】
図５および６に示すセキュリティー素子２の実施の形態には前記保護層、接着層などの別の層を付加できる。同様に、セキュリティー素子２を銀行紙幣１に直接形成することもできる。その場合には、銀行紙幣１の基体がセキュリティー素子２の基体となる。
【００３８】
図５のセキュリティー素子２において、前記視覚効果は情報８の領域を透過した光にのみ現れる。図６のセキュリティー素子２において、前記視覚効果は情報８の領域を透過した光およびそこで乱反射した光の両方に現れる。
【００３９】
セキュリティー素子２を備えた銀行紙幣の別の実施の形態を図７に示す。セキュリティー素子２は少なくとも一部が銀行紙幣１の基体に埋め込まれ、例えば、セキュリティー・スレッドであるセキュリティー素子２が“ウィンドウ”と呼ばれる特定の領域２ａにおいてのみ見える。従って、前記視覚効果は領域２ａにのみ現れる。
【００４０】
セキュリティー素子を図１〜６に示すような構造を有する転写材料として設計することもできる。この場合、層構成を逆にして転写材料上に形成する。転写材料によってセキュリティー素子が銀行紙幣に固定され、その後転写材料は完全にまたは部分的に除去される。
【００４１】
既に述べたように、別の層または素子をセキュリティー素子に付加できる。付加層は単独または組み合せて用いることができ、セキュリティー素子の全体または部分を覆うことができる。
【００４２】
例えば、偏光液晶層の下部に蛍光層または蛍光領域を配することができる。これにより、発せられた蛍光が直線偏光される。
【００４３】
同様に、偏光液晶層の上部または下部に干渉層を配することができる。
【００４４】
干渉顔料を生成することもできる。この場合、干渉層の片面または両面に液晶層を形成する。このようにして形成した複合層を細かく砕いて偏光性を有する顔料を生成する。生成した偏光干渉顔料、またはそれに非干渉顔料混合したものを用いて、例えば、印刷を施すことによってセキュリティー素子を作製できる。このようなセキュリティー素子は方向に依存する色彩効果に加えて後方散乱光を偏光する。
【００４５】
更に別の偏光層および、例えば、ホログラムを形成する回折構造体をセキュリティー素子に付加できる。
【００４６】
同様に、位相板による位相シフト層を付加することもできる。
【００４７】
セキュリティー素子を所謂硬貨地板として形成することもできる。硬貨地板を銀行紙幣の基体表面に組み込み、片面または両面に偏光層を配することが好ましい。
【００４８】
本発明によれば、少なくとも１つのリオトロピック液晶層をルックスルー・レジスターに付加できる。本発明において、ルックスルー・レジスターとは銀行紙幣の透明領域を意味する。ルックスルー・レジスターは、例えば、プラスチック製であれば銀行紙幣の基体そのものに形成できる。また、例えば、プラスチック箔から成る個々に設計したルックスルー・レジスターを銀行紙幣の紙製の基体に組み込むこともできる。この場合、ルックスルー・レジスターの両面に偏光方向が９０度回転するようリオトロピック液晶層を配することが特に有益である。これにより、前記色彩効果が最大限に発揮される。
【００４９】
別の実施の形態において、ルックスルー・レジスター箔を複屈折箔とすることができる。そうすると、光を層側および箔側のいずれから照射したかに応じ、透過光が方向に依存する直線偏光または円偏光される。
【００５０】
また、ルックスルー・レジスターは、例えば、半透明なホログラムを形成する回折構造体を有することができる。
【００５１】
前記のように、セキュリティー素子２は銀行紙幣１に直接形成することも、個別に作製して銀行紙幣１に固定することもできる。また、セキュリティー素子２は銀行紙幣１に固定されるまで層構成が完成しない、例えば、固定後に偏光層または保護層が形成されるようにすることもできる。
【００５２】
図８〜１０は本発明のセキュリティー素子を有する銀行紙幣をチェックするための装置を示す図である。
【００５３】
図８は銀行紙幣１で乱反射した光によって銀行紙幣１をチェックするための構成を示す図であり、光源１０、検出器１１、およびセキュリティー素子２を有する銀行紙幣１から成っている。光源１０からの光がセキュリティー素子２の直線偏光層を透過することにより直線偏光される。この偏光光が銀行紙幣１の基体によって乱反射されることにより偏光が解消される。この散乱光がセキュリティー素子の直線偏光層を透過することにより再度偏光される。検出器１１によって検出された光が直線偏光されている場合には、セキュリティー素子２の存在が立証される。セキュリティー素子２に異なる偏光領域がある場合には、ライト/ダーク・コントラストが現れる。光の偏光の代わりに、またはそれに加え、使用リオトロピック液晶の種類によって決まるセキュリティー素子２からの光の前記色彩効果を検出器１１によって評価できる。光源１０および/または検出器１１の前にセキュリティー素子２の直線偏光方向に対し９０度回転した方向に直線偏光する偏光子１２または１２’を配すると、セキュリティー素子２からの光の色彩効果、またはライト/ダーク・コントラストがより鮮明になる。偏光子１２または１２’がセキュリティー素子２の偏光層と同じリオトロピック液晶から成る直線偏光層を有していることが理想である。
【００５４】
図９ａは銀行紙幣１を透過した光によって銀行紙幣１をチェックするための構成を示す図であり、光源１０、検出器１１、およびセキュリティー素子２を有する銀行紙幣１から成っている。光源１０からの光が銀行紙幣１の基体およびセキュリティー素子２の直線偏光層を透過することにより直線偏光される。検出器１１によって検出された光が直線偏光されている場合には、セキュリティー素子２の存在が立証される。光の偏光の代わりに、またはそれに加え、使用リオトロピック液晶の種類によって決まるセキュリティー素子２からの光の前記色彩効果を検出器１１によって評価できる。検出器１１の前にセキュリティー素子２の直線偏光方向に対し９０度回転した方向に直線偏光する偏光子１２を配すると、セキュリティー素子２からの光の色彩効果がより鮮明になる。偏光子１２がセキュリティー素子２の偏光層と同じリオトロピック液晶から成る直線偏光層を有していることが理想である。
【００５５】
図９ｂにおいて、セキュリティー素子２が銀行紙幣１の光源１０に対向する側に位置している。透過光が銀行紙幣１の基体の散乱により偏光が解消され、検出器１１において偏光および色彩効果が観察されない。これは、例えば、ウィンドウ・セキュリティー・スレッドにおいて、スレッドが基体に埋め込まれている領域の場合である。
【００５６】
図１０の構成は図９と比較すると光源１０と検出器１１とが入れ替わっている。図１０ａはセキュリティー素子２に偏光光が照射され、光を散乱する銀行紙幣１を通して少なくとも色彩効果が観察できる一方、透過光が銀行紙幣の基体で散乱することにより偏光が解消される場合を示している。図１０ｂはセキュリティー素子２に照射される光が非偏光光であり、偏光層による直線偏光効果が銀行紙幣の基体の散乱により解消されるため透過光に何の効果も生じない場合を示している。
【００５７】
検出器１１を用いる代わりに、セキュリティー素子２の乱反射光および透過光における前記色彩効果の有無を目視によりチェックすることもできる。
【００５８】
照明または観察方法よって偏光子１２または１２’、または銀行紙幣の偏光方向を変えることにより、前記色彩効果の増減を観察できる。ウィンドウ・セキュリティー・スレッドまたは一部が銀行紙幣の基体に埋め込まれている別のセキュリティー素子を目視した場合、空白効果、即ち、前記効果が生じない箇所が常に存在する。
【００５９】
本発明による前記ルックスルー・レジスターに偏光液晶層が配されている場合には、特に目視検査が有益かつ容易である。この場合、ルックスルー・レジスターを偏光子１２または１２’の代わりとして使用できる。例えば、ルックスルー・レジスターが別のセキュリティー素子に重なるよう銀行紙幣を折り曲げることにより、同一銀行紙幣上の別のセキュリティー素子をチェックできる。また、ルックスルー・レジスターを用いて別の銀行紙幣のセキュリティー素子をチェックすることもできる。
【００６０】
偏光子１２または１２’を回転させることにより、偏光干渉顔料に関連して説明した色彩の変化も良好に観察できる。
【００６１】
偏光子を図９および１０の光源および検出器１１の前に検光子として配することも勿論できる。この場合、セキュリティー素子２の位置とは無関係に少なくとも色彩効果が常に観察できる。
【００６２】
図９および１０を参照して説明した本発明によるセキュリティー素子のチェック方法は、銀行紙幣の表面に適用されたセキュリティー素子のチェック方法であったが、別の設計も可能であることは自明である。例えば、プラスチックように光を散乱しない基体を銀行紙幣に用いることができる。同様に、セキュリティー素子を前記のようなルックスルー・レジスターとして形成できる。このような場合、図９および１０に関連して説明した基体による偏光の解消は生じない。
【００６３】
光源１０は白熱灯または放電灯のような白色光を発する光源であってよい。光源１０は直線偏光子を有していてもよい。また、光源１０が、例えば、発光ダイオードから成る場合には、一定の限定スペクトルを有する光を発してもよい。光を予め偏光する場合には、光源として低出力の偏光レーザー・ダイオード、また目視用としてレーザー・ポインターを用いることができる。
【００６４】
図９および１０を参照して説明した本発明によるセキュリティー素子２を備えた銀行紙幣をチェックするための装置によるチェック、または前記目視検査を行うと、図８に関連して説明したライト/ダーク効果も視認できる。
【図面の簡単な説明】
【００６５】
【図１】本発明のセキュリティー素子を有する銀行紙幣を示す図。
【図２】図１のセキュリティー素子の１つの実施の形態を示す断面図。
【図３】図１のセキュリティー素子の１つの実施の形態を示す断面図。
【図４】図１のセキュリティー素子の１つの実施の形態を示す平面図。
【図５】図４のセキュリティー素子の１つの実施の形態を示す断面図。
【図６】図４のセキュリティー素子の１つの実施の形態を示す断面図。
【図７】本発明のセキュリティー素子を有する銀行紙幣の１つの実施の形態を示す図。
【図８】本発明のセキュリティー素子を有する銀行紙幣をチェックするための装置を示す図。
【図９】図９ａおよび９ｂは本発明のセキュリティー素子を有する銀行紙幣をチェックするための装置を示す図。
【図１０】図１０ａおよび１０ｂは本発明のセキュリティー素子を有する銀行紙幣をチェックするための装置を示す図。
【符号の説明】
【００６６】
１            銀行紙幣
２            セキュリティー素子
３            基体
４            リオトロピック液晶層
５            保護層
６            接着層
７            金属層
８            情報
１０            光源
１１            検出器
１２、１２’    偏光子
【図１】
2007527051.tif 000003
【図２】
2007527051.tif 000004
【図３】
2007527051.tif 000005
【図４】
2007527051.tif 000006
【図５】
2007527051.tif 000007
【図６】
2007527051.tif 000008
【図７】
2007527051.tif 000009
【図８】
2007527051.tif 000010
2007527051.tif 000011
2007527051.tif 000012
【手続補正書】
【提出日】平成19年7月10日(2007.7.10)
【手続補正１】
【補正対象書類名】特許請求の範囲
【補正対象項目名】全文
【補正方法】変更
【補正の内容】
【特許請求の範囲】
【請求項１】
セキュリティー素子を備えた有価物であって、該素子が光を直線偏光する少なくとも１つの液晶材料を有して成ることを特徴とする有価物。
【請求項２】
前記液晶材料がリオトロピック液晶から成ることを特徴とする請求項１記載の有価物。
【請求項３】
前記液晶材料の層厚が１００〜１０００ナノメートルであることを特徴とする請求項１または２記載の有価物。
【請求項４】
前記液晶材料が一面に配されているか、または特定の領域に配されていることを特徴とする請求項１〜３いずれか１項記載の有価物。
【請求項５】
前記液晶材料がパターンおよび/または文字を有する背景に配されていることを特徴とする請求項１〜４いずれか１項記載の有価物。
【請求項６】
前記背景が印刷されているか、基体にインク描きされているか、またはレーザーによって形成されていることを特徴とする請求項５記載の有価物。
【請求項７】
前記液晶材料、前記背景、および/または別の層が、機械検査および/または目視検査可能な特性を有していることを特徴とする請求項１〜６いずれか１項記載の有価物。
【請求項８】
前記セキュリティー素子がラベルであることを特徴とする請求項１〜７いずれか１項記載の有価物。
【請求項９】
セキュリティー・ペーパー、セキュリティー・ドキュメント、または製品包装であることを特徴とする請求項１〜８いずれか１項記載の有価物。
【請求項１０】
前記セキュリティー素子が視覚効果をもたらす少なくとも１つの層および/または少なくとも該セキュリティー素子の一部を覆う保護層を更に有して成ることを特徴とする請求項１〜９いずれか１項記載の有価物。
【請求項１１】
有価物を保護するためのセキュリティー素子であって、光を直線偏光する少なくとも１つの液晶材料を有して成ることを特徴とする素子。
【請求項１２】
前記液晶材料がリオトロピック液晶から成ることを特徴とする請求項１１記載の素子。
【請求項１３】
前記液晶材料の層厚が１００〜１０００ナノメートルであることを特徴とする請求項１１または１２記載の素子。
【請求項１４】
前記液晶材料が一面に配されているか、または特定の領域に配されていることを特徴とする請求項１１〜１３いずれか１項記載の素子。
【請求項１５】
前記液晶材料の担体が所定の位相シフトを有する複屈折箔であることを特徴とする請求項１１〜１４いずれか１項記載の素子。
【請求項１６】
視覚効果をもたらす少なくとも１つの層および/または少なくとも一部を覆う保護層を更に有して成ることを特徴とする請求項１１〜１５いずれか１項記載の素子。
【請求項１７】
セキュリティー・スレッド、ルックスルー・レジスター、または硬貨地板であることを特徴とする請求項１１〜１６いずれか１項記載の素子。
【請求項１８】
セキュリティー素子を作製するための転写材料であって、リオトロピック液晶から成る少なくとも１つの液晶材料を上部に配した担体材料を有して成ることを特徴とする材料。
【請求項１９】
前記担体材料が押箔として形成されていることを特徴とする請求項１８記載の材料。
【請求項２０】
有価物またはセキュリティー素子を作製する方法であって、
基体を供給するステップ、
前記基体の上部に少なくとも１つのリオトロピック液晶材料を塗布するステップ
の各ステップを有して成ることを特徴とする方法。
【請求項２１】
前記少なくとも１つのリオトロピック液晶材料が溶液中に存在し、有向剪断力を加えながら該溶液を前記基体に塗布し、該溶液を構成する溶媒を除去することを特徴とする請求項２０記載の方法。
【請求項２２】
有価物を検査する方法であって、
光が直線偏光されているか否かおよび/または
前記光が色彩効果を有しているか否かおよび/または
前記光が有価物の基体を透過したとき、前記偏光光の偏光が解消されるか否か、および/または前記色彩効果が消えるか否か
をチェックすることを特徴とする方法。
【請求項２３】
前記有価物で乱反射した光および/または該有価物を透過した光をチェックすることを特徴とする請求項２２記載の方法。
【国際調査報告】
2007527051.tif 000013
2007527051.tif 000014
2007527051.tif 000015
2007527051.tif 000016
2007527051.tif 000017
2007527051.tif 000018
2007527051.tif 000019
2007527051.tif 000020